(57)【要約】【課題】本発明の課題は、皮革製品や繊維製品に電子機器を設ける際に、不要な部材を削減して軽量化が可能であり、素材感を損なうことなく意匠性の高い電子機器付製品を提供することにある。【解決手段】上記課題を解決するために、本発明の電子機器付製品１０は、皮革製品本体又は繊維製品本体からなる基材１１と、基材１１に実装され、電子回路を構成する要素である第一回路要素１２及び第二回路要素１５と、表面が絶縁性材料により被覆された被覆電線１６とを備え、被覆電線１６によって基材１１を装飾するステッチ模様１６ａが形成されると共に、基材１１に分離配置された第一回路要素１２と第二回路要素１５とが電気的に接続されたものとする。【選択図】図１
2020071868.tif 000002
【特許請求の範囲】
【請求項１】
皮革製品本体又は繊維製品本体からなる基材と、
前記基材に実装され、電子回路を構成する要素である第一回路要素及び第二回路要素と、
表面が絶縁性材料により被覆された被覆電線と、
を備え、
前記被覆電線によって前記基材を装飾するステッチ模様が形成されると共に、前記基材に分離配置された前記第一回路要素と前記第二回路要素とが電気的に接続された電子機器付製品。
【請求項２】
前記基材には前記第一回路要素と前記第二回路要素とをつなぐ所定のラインに沿って複数の貫通孔が設けられ、前記被覆電線は当該貫通孔に挿通されることで前記ステッチ模様を形成しつつ、前記第一回路要素と前記第二回路要素とを電気的に接続する請求項１に記載の電子機器付製品。
【請求項３】
前記第一回路要素は、前記第二回路要素に電源を供給するための電源供給部としての機能を有し、前記第二回路要素は前記第一回路要素から電源の供給を受ける請求項１又は請求項２に記載の電子機器付製品。
【請求項４】
前記被覆電線は伸縮性を有する請求項１〜請求項３のいずれか一項に記載の電子機器付製品。
【発明の詳細な説明】
【技術分野】
【０００１】
本発明は、電子機器を備えた皮革製品又は繊維製品等の電子機器付製品に関する。
に関する。
【背景技術】
【０００２】
従来より、パーソナルコンピュータ（以下、ＰＣと称する）等の情報処理装置に対して文字等の情報を入力するための入力装置としてキーボードが用いられている。また、ＰＣ等の情報処理装置に対して、そのディスプレイ上のカーソル等の座標位置を入力するための入力装置としてマウスが一般に用いられている。
【０００３】
マウスの操作性を向上するためにマウスパッドが使用される。マウスパッドの中には、例えば、テンキーユニット等のマウスパッド以外の機能を備えたものもある（例えば、特許文献１参照）。このテンキー付マウスパッドによれば、マウスパッドとテンキーユニットとを個別に携行する必要がなく、これらを個別に机の上に配置する場合と比較すると省スペース化を図ることができる。このような多機能なマウスパッドがあれば、カフェ等の外出先でノート型ＰＣ等の携帯用の小型情報処理装置を利用する際の操作性が向上する。
【０００４】
ところで、種々の素材やデザインのマウスパッドが販売されている。例えば、皮革製のマウスパッド（例えば、特許文献２［００２２］参照）は、素材の高級感も加わることから意匠性に優れ、軽量であり、丸めて持ち運ぶことができるなど、携行性にも優れる。このような皮革製マウスパッドにテンキーや計算機等を設ければ、意匠性が高く、且つ、多機能なマウスパッドを実現することができる。
【０００５】
例えば、本革製のマウスパッドの中には、２枚の皮革を表側が外側になるようにして重ね合わせ、縁に装飾を兼ねたステッチを行うことにより縫合したものがある。このようなマウスパッドにテンキーを設けるには、２枚の皮革のうち表側の皮革に開口部を設け、この開口部から入力キー部分が露出するようにして筐体を２枚の皮革の間に配置することが考えられる。
【先行技術文献】
【特許文献】
【０００６】
【特許文献１】特開平１０−１２４２５２号公報
【特許文献２】特開２０１３−８７４００号公報
【発明の概要】
【発明が解決しようとする課題】
【０００７】
上記の場合、テンキーを筐体含め全体を２枚の皮革の間に配置するため、筐体内の回路基板等が外部に露出せず、皮革製のマウスパッドの意匠性を維持することができる。しかしながら、この場合、皮革製のマウスパッドは単に外付テンキーのカバーとして用いられることになるため、外付テンキーの構成を簡素化することができず、外付テンキーの筐体の厚みや重みの分だけ、マウスパッドの厚みや重さが増し、当該皮革製マウスパッドの携行性が低下する。一方、テンキー等の電子機器の筐体を例えばマウス操作可能な大きさに拡大し、筐体の表面に皮革を貼付することも考えられる。電子機器の筐体はプラスチック製である場合が多いため、この場合は素材から受ける高級感や意匠性が低下するおそれがある。
【０００８】
本発明の課題は、皮革製品や繊維製品に電子機器を設ける際に、不要な部材を削減して軽量化が可能であり、素材感を損なうことなく意匠性の高い電子機器付製品を提供することにある。
【課題を解決するための手段】
【０００９】
上記課題を解決するため、本発明に係る電子機器付製品は、皮革製品本体又は繊維製品本体からなる基材と、前記基材に実装され、電子回路を構成する要素である第一回路要素及び第二回路要素と、表面が絶縁性材料により被覆された被覆電線とを備え、前記被覆電線によって前記基材を装飾するステッチ模様が形成されると共に、前記基材に分離配置された前記第一回路要素と前記第二回路要素とが電気的に接続されたことを特徴とする。
【００１０】
本件発明に係る電子機器付製品において、前記基材には前記第一回路要素と前記第二回路要素とをつなぐ所定のラインに沿って複数の貫通孔が設けられ、前記被覆電線は当該貫通孔に挿通されることで前記ステッチ模様を形成しつつ、前記第一回路要素と前記第二回路要素とを電気的に接続することが好ましい。
【００１１】
本件発明に係る電子機器付製品において、前記第一回路要素は、前記第二回路要素に電源を供給するための電源供給部としての機能を有し、前記第二回路要素は前記第一回路要素から電源の供給を受けることが好ましい。
【００１２】
本件発明に係る電子機器付製品において、前記第一回路要素は、外部機器と接続されて当該外部機器と前記第二回路要素との間で信号の授受を行うための接続部としての機能を有することも好ましい。
【００１３】
本件発明に係る電子機器付製品において、前記被覆電線は伸縮性を有することが好ましい。
【発明の効果】
【００１４】
本発明によれば、電子回路の構成要素である第一回路要素及び第二回路要素を皮革製品又は繊維製品に設ける際に、従来用いられていた基板に実装するのではなく、皮革製品本体又は繊維製品本体を基材として用いる。これと同時に、皮革製品本体又は繊維製品本体を第一回路要素及び第二回路要素を収容するための筐体として用いることもできる。さらに、表面が絶縁性材料により被覆された被覆電線によって当該皮革製品又は繊維製品を装飾するステッチ模様が形成される。従って、被覆電線を縫合部材及び装飾部材として用いつつ、第一回路要素と前記第二回路要素とを電気的に接続して、動作回路を実現することができる。
【００１５】
これらのことから、皮革製品や繊維製品に電子機器を設ける際に、不要な部材を削減して軽量化が可能であり、素材感を損なうことなく意匠性の高い電子機器付製品を提供することができる。
【図面の簡単な説明】
【００１６】
【図１】本発明の第１の実施の形態のテンキー付マウスパッド（電子機器付皮革製品）を説明するための図であり、（ａ）は外観を表す模式図であり、（ｂ）は機能的構成を示すブロック図である。
【図２】上記テンキー付マウスパッドの効果を説明するための模式図であり、（ａ）は上記テンキー付マウスパッドの外観を表す模式図であり、（ｂ）は本発明とは異なる形態のテンキー付マウスパッドの外観を表す模式図である。
【図３】本発明の第２の実施の形態のＬＥＤライト付キーホルダー（電子機器付皮革製品）を説明するための図であり、（ａ）は表側の外観を表す模式図であり、（ｂ）は裏側の外観を表す模式図である。
【図４】本発明の第３の実施の形態のランプ兼マウスパッド（電子機器付皮革製品）を説明するための図であり、（ａ）はマウスパッドとして用いるときの表側の外観を表す模式図であり、（ｂ）はマウスパッドとして用いるときの裏側の外観を表す模式図であり、（ｃ）はランプとして用いるときの外観を表す模式図である。
【発明を実施するための形態】
【００１７】
以下、本発明に係る電子機器付製品の実施の形態を説明する。本発明に係る電子機器付製品は、電子機器付きの皮革製品又は繊維製品をいう。皮革製品は、本革又は合成皮革を主たる構成材料とする製品をいい、以下の実施の形態で説明するマウスパッド、キーホルダー、ランプシェードの他、財布、カードホルダ、キーケース、ペンケース、ブックカバー、ペン立て、トレイ、鞄、靴、衣服、椅子等の皮革製の種々の製品が挙げられる。同様に、繊維製品は、織布、不織布、ニット地等を主たる構成材料とする上記と同様の製品をいい、天然繊維、合成繊維、半合成繊維等、繊維の種類は特に限定されない。これらの製品は、電子機器とは別の機能及び目的を有するものとする。これらの製品に設ける電子機器はどのようなものであってもよい。以下の実施の形態では、テンキー（数字入力装置）、ＬＥＤライトを例に挙げるが、以下の実施の形態で例示した電子機器に限らず、例えば、電子計算機、電子時計、電波時計、レーザーポインター、ＧＰＳ（Ｇｌｏｂａｌ  Ｐｏｓｉｔｉｏｎｉｎｇ  Ｓｙｓｔｅｍ）、ＲＦＩＤ（ｒａｄｉｏ  ｆｒｅｑｕｅｎｃｙ  ｉｄｅｎｔｉｆｉｅｒ）などであってもよいし、携帯電話や携帯型情報端末などであってもよく、各種センサー類であってもよいが、いずれも回路要素を実装するための基材として、皮革製品本体又は繊維製品本体を用いる。
【００１８】
（第１の実施の形態）
第１の実施の形態として、テンキー付マウスパッド１０（電子機器付製品）について説明する。図１（ａ）には、第１の実施の形態のテンキー付マウスパッド１０の模式図を示す。図１（ｂ）は当該テンキー付マウスパッド１０の機能的構成を表すブロック図である。テンキー付マウスパッド１０は、ノート型ＰＣ等の外部機器１００と接続され、外部機器１００に対する数字等を入力するための入力装置として用いられると共に、マウス２００を使用する際のマウスパッドとして用いられる。以下、構成を説明する。
【００１９】
当該テンキー付マウスパッド１０は、基材となるマウスパッド本体１１と、テンキー回路（電子回路）を構成する外部機器接続部１２と、テンキー部１５とを備えている。
【００２０】
マウスパッド本体１１は本革製であり、所定形状に切断された二枚の皮革（第一皮革１１ａ及び第二皮革（１１ｂ（図２（ａ））））をそれぞれの表側の面が外側に配置されるように重ね合わせ、縁の部分を縫合されており、縫合糸（１６）の縫い目によってステッチ模様１６ａが形成されている。
【００２１】
外部機器接続部１２は、本実施の形態では、マウスパッド本体１１に向かって左上に配置されている。外部機器接続部１２は、外部機器接続本体部１３と接続ケーブル部１４とを備えている。
【００２２】
外部機器接続本体部１３は、マウスパッド本体１１の内側に配置されている。そのため、図１（ａ）では外部機器接続本体部１３を点線で示している。外部機器接続本体部１３は、テンキー部１５に電源電圧を供給する給電部（図示略）と、テンキー部１５から受信したデータを外部機器１００に送信するデータ送信部（図示略）とを備えている。
【００２３】
接続ケーブル部１４は、外部機器接続本体部１３に接続されており、外部機器１００に接続されるＵＳＢ接続端子１４ａと、当該ＵＳＢ接続端子１４ａに接続される接続ケーブル１４ｂとを備えている。ＵＳＢ接続端子１４ａ及び接続ケーブル１４ｂはマウスパッド本体１１の外側に配置される。
【００２４】
ＵＳＢ接続端子１４ａ及び接続ケーブル１４ｂには外部機器１００から電源電圧を受電する端子及び電源電圧ケーブル及び外部機器１００との間でデータ（信号）を授受することのできる端子（図示略）及びデータケーブル（図示略）とを含む。当該接続ケーブル部１４によりノート型ＰＣ等の外部機器１００と接続されることにより、バスパワーによりテンキー部１５に電源を供給すると共に信号の授受を行う。
【００２５】
外部機器接続部１２は本件発明にいう第一回路要素であり、本件発明にいう接続部及び電源供給部として機能する（図１（ｂ）参照）。
【００２６】
テンキー部１５は、「０」〜「９」までの数字を外部機器１００に入力するための数字キーの他、「＋」、「−」、「／」、「＊」といった四則演算を行うため入力キーなどの種々の入力キーと、これらの入力キーが押下されたときにその押下信号を外部機器１００にデータとして出力するための信号出力部とを機能的な構成として備えている。テンキー部１５は本件発明にいう第二回路要素である。
【００２７】
テンキー部１５の入力キー部分１５ａは、当該テンキー付マウスパッド１０の表側の面を構成する第一皮革１１ａに形成された開口部から外側にそれぞれの入力キーが突出するようにマウスパッド本体１１に配置される。テンキー部１５の入力キー部分１５ａ以外の部分は第一皮革１１ａと第二皮革１１ｂとの間に配置され、外部に露出しないようにされる。本実施の形態では、マウスパッド本体１１に向かって右下にテンキー部１５が配置される。
【００２８】
本実施の形態では第一皮革１１ａと第二皮革１１ｂとを縫合すると共に、ステッチ模様１６ａを形成する縫合糸として、被覆電線１６が用いられる。当該被覆電線１６は絶縁性材料により電線の表面が被覆されたものであり、伸縮性や柔軟性を有するものであることが好ましい。このような伸縮性や柔軟性を有する被覆電線１６として、例えば、表面がポリ塩化ビニル（ＰＶＣ）などの可撓性及び柔軟性を有する樹脂やシリコンで被覆された電線（例えば、（株）小柳出電気商会製の極細リードワイヤーＡＷＧ３６（２７０６）、柔軟性シリコンコード（ＲＳＣＢ  ０．１ｓｑ）等）を用いることができる。これらの被覆電線１６は表面を被覆する絶縁性材料が着色されており、赤、青、緑、黄、黒、白等所望の色を選択することができる。そのため、マウスパッド本体１１の色に合わせて、所望の色を選択することで意匠性に優れたテンキー付マウスパッド１０を得ることができる。また、絶縁性材料及び電線が共に柔軟性を有するため、第一皮革１１ａ及び第二皮革１１ｂを縫合するための縫合糸及びステッチ用の糸としても好適に用いることができる。
【００２９】
本実施の形態のテンキー付マウスパッド１０では、図１（ａ）及び図１（ｂ）に示すように第一回路要素としての外部機器接続部１２と、第二回路要素としてのテンキー部１５とが、基材としてのマウスパッド本体１１に実装され、上記縫合糸としての被覆電線１６により電気的に接続されて、外部機器接続部１２を介してテンキー部１５が給電され、テンキー部１５から入力された所定の入力キーの押下信号が外部機器接続部１２を介して外部機器１００に入力される。
【００３０】
次に当該テンキー付マウスパッド１０の作製方法について説明する。当該テンキー付マウスパッド１０は、本革製のマウスパッドを作製するときと略同様にして作製することができる。まず、第一皮革１１ａ及び第二皮革１１ｂ（図２（ａ）参照）に菱目打ちで被覆電線１６を通すための貫通孔を所定間隔で形成する。このとき第一皮革１１ａ及び第二皮革１１ｂを縫合し、且つ、外部機器接続部１２とテンキー部１５とを電気的に接続するための経路を形成するように貫通孔を所定のラインに沿って複数形成する。また、第一皮革１１ａの所定の位置にテンキー部１５の入力キーを嵌め込むための開口部を形成しておく。
【００３１】
次に、外部機器接続部１２の外部機器接続本体部１３とテンキー部１５とを第二皮革１１ｂの所定の位置に配置して、接着剤などで第二皮革１１ｂに固定する（図２（ｂ）参照）。次いで、第一皮革１１ａを外部機器接続部１２とテンキー部１５とを覆うように重ねて、第一皮革１１ａの開口部に入力キーを嵌め込み、入力キー部分１５ａが第一皮革１１ａの表側に突出するように配置する。次に、第一皮革１１ａと第二皮革１１ｂとを被覆電線１６で縫合し、マウスパッド本体１１の縁にステッチ模様１６ａを形成しつつ、外部機器接続部１２とテンキー部１５とを電気的に接続する。
【００３２】
第一皮革１１ａと第二皮革１１ｂとを縫合する際のステッチの方法は、通常の革細工と同様にすることができる。例えば、平縫いの場合、一本の被覆電線１６の一方の端と他方の端とにそれぞれ縫い針を通し、一の貫通孔に挿通して被覆電線１６の長さが第一皮革１１ａの外側と、第二皮革１１ｂの外側において略同じになるようにする。そして、第一皮革１１ａ側の面については、一の貫通孔の隣の貫通孔に対して第一皮革１１ａの外側の面から第二皮革１１ｂに向かうように針を通す。第二皮革１１ｂ側の面については、一の貫通孔の隣の貫通孔に対して第二皮革１１ｂの外側の面から第一皮革１１ａに向かうように針を通す。そして、第二皮革１１ｂ側に通された被覆電線１６と、第一皮革１１ａ側に通された被覆電線１６とを所定の方法で交差させて、被覆電線１６を引っ張り縫い目を整える。このように、第一皮革１１ａ及び第二皮革１１ｂの外側からそれぞれ縫い針をさすようにすることで、第一皮革１１ａと第二皮革１１ｂとを縫合すると共にステッチ模様１６ａを形成することができる。
【００３３】
以上の手順により第１の実施の形態のテンキー付マウスパッド１０を作製することができる。当該第１の実施の形態のテンキー付マウスパッド１０によれば、マウスパッドにテンキーを設けてテンキー付マウスパッド１０を実現する際に、本革からなるマウスパッド本体１１を構成する第一皮革１１ａ及び第二皮革１１ｂを第一回路要素（外部機器接続部１２）及び第二回路要素（テンキー部１５）を実装するための基材として用いると共に外付テンキーの筐体としても用いることができる。そのため、基板や筐体などの不要な部材を削減して軽量化を図ることができる。基材や筐体などのプラスチック等からなる部材を削減することで、外部機器接続本体部１３やテンキー部１５以外の箇所の柔軟性を維持することができ、当該テンキー付マウスパッド１０を丸めて収納等することができる。
【００３４】
ここで、例えば、図２（ｂ）に向かって左側に示す本革製のマウスパッド２０に、外付テンキー３０を単に設けて、図２（ｂ）に向かって右側に示すテンキー付マウスパッド４０を得る場合について考える。この場合、図２（ｂ）に示すマウスパッド本体２１の表側の面となる第一皮革２１ａに開口部を設け、この開口部からテンキー本体部分３１が露出するようにして、外付テンキー３０を筐体含め全体をマウスパッド本体１１に埋め込むことが考えられる。この場合、マウスパッド本体２１は単に外付テンキー３０のテンキー本体部分３１を覆うカバーとして用いられることになるため、外付テンキー３０の構成を簡素化することができず、筐体の厚みや重みの分だけ、テンキー付マウスパッド４０の厚みや重さが増す。そのため、テンキー付マウスパッド４０の携行性が低下する。
【００３５】
また、右利きのユーザはノート型ＰＣ等の外部機器１００に対して右側にテンキー付マウスパッド４０に配置すると作業性が良好である。このとき、テンキー本体部分３１の位置はテンキー付マウスパッド４０において右側に配置されると好ましい。マウス２００の作業スペースが外部機器１００に近い方が好ましいためである。図２（ｂ）に示すテンキー付マウスパッド４０ではマウスパッド本体２１内に収容されるケーブル３２の長さを短くするには、テンキー本体部分３１をマウスパッド本体２１に向かって右上に配置する必要がある。この場合、テンキー本体部分３１のケーブル接続部分から外部機器１００までの距離が長くなるためケーブルの長さを長くする必要がある。なお、テンキー本体部分３１に対するケーブル３２の取付位置は図２（ｂ）に示す位置に限定されるものではない。しかしながら、右利きのユーザ用にテンキー本体部分３１をマウスパッド本体２１の右側に配置する場合、テンキー本体部分３１のどの位置にケーブル３２を設けても、マウスパッド本体２１内に収容されるケーブル３２の長さを短くするには、テンキー本体部分３１のケーブル接続部分から外部機器１００までの距離が長くなるためケーブルの長さを長くする必要が生じる。
【００３６】
これに対して本実施の形態のテンキー付マウスパッド１０は、図２（ａ）に示すように、マウスパッド本体１１に向かって右下にテンキー部１５を配置すると共に、外部機器接続部１２の外部機器接続本体部１３をマウスパッド本体１１に向かって左上に配置することで、テンキー部１５を（右利きの）ユーザに使いやすい位置に配置すると共に、接続ケーブル部１４をテンキー部１５と離間して配することで外部機器１００と外部機器接続本体部１３との距離を短くすることができ、接続ケーブル１４ｂを短くすることができる。また、外部機器接続部１２とテンキー部１５とを別体に構成することで、外部機器接続部１２及びテンキー部１５を一体に構成する場合と比較すると、全体を薄く構成することが容易になり、マウスパッド本体１１の厚みの増加を抑制することができる。左利きのユーザ用のテンキー付マウスパッド１０についても同様のことがいえる。
【００３７】
一方、外部機器接続部１２とテンキー部１５とを離間して配置すると、これらを電気的に接続する必要がある。本実施の形態ではプリント配線基板にこれらの回路要素を実装するのではなく、マウスパッド本体１１を基材とし、被覆電線１６によりこれらを電気的に接続すると共に、第一皮革１１ａと第二皮革１１ｂとを縫合し、さらにその縫い目をマウスパッド本体１１を装飾するためのステッチ模様１６ａとしても利用している。そのため、第一皮革１１ａと第二皮革１１ｂとを縫合するための縫合糸や、外部機器接続部１２とテンキー部１５との配線を行うためにプリント配線基板等を用いる必要がない。従って、これらの点からも部材点数を削減することができ、当該テンキー付マウスパッド１０の軽量化を図ることができる。また、被覆電線１６には種々の色があるため、マウスパッド本体１１の色に応じて被覆電線１６の色を選択することで、デザイン性の高いテンキー付マウスパッド１０を得ることができる。
【００３８】
以上説明した第１の実施の形態のテンキー付マウスパッド１０によれば、筐体や基板などの不要な部材を削減して軽量化が可能であり、本革の素材感を損なうことなく意匠性の高いテンキー付マウスパッド１０を得ることができる。
【００３９】
なお、第１の実施の形態では、図１（ｂ）に示すように外部機器接続部１２を第一回路要素とし、テンキー部１５を第二回路要素としたが、外部機器接続部１２に代えて外部機器１００に無線で通信接続するためのＢｌｕｅｔｏｏｔｈ（登録商標）などの無線通信接続部とし、電池などを第三回路要素とし、これらを被覆電線１６で電気的に接続すると共に、上記と同様に第一皮革１１ａと第二皮革１１ｂとを縫合しつつ、当該マウスパッド本体１１を装飾するステッチ模様１６ａとしてもよい。
【００４０】
また、第二回路要素をテンキー部１５に代えて、手書き入力パッドや、マウス代わりのタッチパッドなどとしてもよい。また、外部機器１００はノート型ＰＣに限るものではなく、デスクトップ型ＰＣや各種タブレット端末などであってもよい。
【００４１】
（第２の実施の形態）
第２の実施の形態として、ＬＥＤライト付キーホルダー５０（電子機器付製品）について説明する。図３（ａ）に第２の実施の形態のＬＥＤライト付キーホルダー５０の表側を示し、図３（ｂ）に当該ＬＥＤライト付キーホルダー５０の裏側を示す。
【００４２】
第２の実施の形態のＬＥＤライト付キーホルダー５０は、キーホルダー本体５１と、ＬＥＤ回路を構成するＬＥＤライト部５２と、ＬＥＤライト部５２のオン／オフを切り替えるスイッチ部５３と、ＬＥＤライト部５２に電源を供給するための電源部５４とを備えている。
【００４３】
キーホルダー本体５１は本革製であり所定形状に切断された二枚の皮革（第一皮革５１ａ及び第二皮革５１ｂ）からなる。キーホルダー本体５１は、第１の実施の形態と同様に、縁部において縫合され、その縫い目によってステッチ模様５７ａが形成されている。また、当該キーホルダー本体５１には、本革製の連結部５５を介してキーリング５６が設けられる。
【００４４】
キーホルダー本体５１に設けられるＬＥＤ回路（電子回路）は、キーホルダー本体５１の表側の面（第一皮革５１ａ）に実装されるＬＥＤライト部５２（図３（ａ）参照）と、キーホルダー本体５１の裏側の面（第二皮革５１ｂ）に実装されるスイッチ部５３（図３（ｂ）参照）と、キーホルダー本体５１の内側（第一皮革５１ａと第二皮革５１ｂとの間）に配置される電源部５４（図３（ｂ）参照）とから構成される。
【００４５】
ＬＥＤライト部５２は、複数のＬＥＤ素子と、当該ＬＥＤ素子を駆動するための駆動回路等（詳細図示略）を備え、本発明にいう第二回路要素に相当する。スイッチ部５３は、第三回路要素であり、ＬＥＤライト部５２と電源部５４との間に配置され、電源部５４からＬＥＤライト部５２に対する電源のオン／オフを切り替える。電源部５４は例えば乾電池やキャパシタ等により構成され、本件発明にいう第一回路要素（電源供給部）に相当する。ＬＥＤライト部５２、スイッチ部５３及び電源部５４は、第１の実施の形態と同様に縫合糸として用いられる被覆電線５７により電気的に接続される。
【００４６】
当該ＬＥＤライト付キーホルダー５０の作製方法は第１の実施の形態のテンキー付マウスパッド１０と略同様であり、第一皮革５１ａ又は第二皮革５１ｂの所定の位置に各回路要素を接着剤等で固定し、第一皮革５１ａと第二皮革５１ｂとを被覆電線５７で縫合しつつ、ステッチ模様５７ａを形成し、これと同時に各回路要素を電気的に接続する。
【００４７】
第２の実施の形態のＬＥＤライト付キーホルダー５０についても、各回路要素を本革製のキーホルダー本体５１に直接実装し、これらの回路要素を被覆電線５７で電気的に接続すると共に、第一皮革５１ａ及び第二皮革５１ｂを縫合すると共にステッチ模様５７ａを形成することで、ＬＥＤライトを構成するための筐体や、各回路要素を実装するための基板などの不要な部材を削減して軽量化が可能であり、本革の素材感を損なうことなく意匠性の高いＬＥＤライト付キーホルダー５０を得ることができる。
【００４８】
また、第２の実施の形態のＬＥＤライト付キーホルダー５０のように、本発明に係る電子機器付製品は、第一回路要素及び第二回路要素の他、第三回路要素、第四回路要素等、所定の機能を実現するための電子回路を構成する上で必要な回路要素を３以上備えていてもよい。
【００４９】
（第３の実施の形態）
第３の実施の形態として、ＬＥＤランプ兼マウスパッド６０（電子機器付製品）について説明する。図４（ａ）に第３の実施の形態のＬＥＤランプ兼マウスパッド６０の表側を示し、図４（ｂ）にＬＥＤランプ兼マウスパッド６０の裏側を示し、図４（ｃ）に当該ＬＥＤランプ兼マウスパッド６０をＬＥＤランプとして用いた状態を示す。
【００５０】
第３の実施の形態のＬＥＤランプ兼マウスパッド６０は、マウスパッド本体６１と、ＬＥＤ回路（電子回路）を構成するＬＥＤランプ部６２と、ＬＥＤランプ部６２に電源を供給するための電源供給部６３とを備えている。
【００５１】
マウスパッド本体６１は本革製であり、所定形状に切断された一枚の厚みのある皮革からなり、マウスパッド本体６１の表側の面には向かって左側に、例えば、動物等の模様６４が切り抜かれている。また、マウスパッド本体６１の一側方には例えば下端から上端に向かって切り込みが入れられて、係止片６１ａ形成されており、他側方にはその逆向き、すなわち上端から下端に向かって切り込みが入れられて係止片６１ｂが形成されており、マウスパッド本体６１を丸めて円柱状にしたときに一側方の係止片６１ａを他側方の係止片６１ｂに係止することができるように構成されている。
【００５２】
マウスパッド本体６１の裏側には、ＬＥＤ回路を構成するＬＥＤランプ部６２と、電源供給部６３とが実装されている。ＬＥＤランプ部６２は、複数のＬＥＤ素子と、当該ＬＥＤ素子を駆動するための駆動回路等（詳細図示略）を備え、本件発明にいう第二回路要素に相当する。電源供給部６３は、乾電池等であってもよいが、ＵＳＢ接続端子６３ａやケーブル６３ｂ等を備え、バスパワーによりノート型ＰＣ等の外部機器１００から電源供給を受けて、これをＬＥＤランプ部６２に電源を供給するＵＳＢ接続部（外部機器接続部）であることが好ましい。ＬＥＤランプ部６２と電源供給部６３とは、被覆電線６５によって電気的に接続されている。また、第１の実施の形態及び第２の実施の形態と同様に、被覆電線６５によってマウスパッド本体６１の縁部にステッチ模様６５ａが形成されている。
【００５３】
マウスパッド本体６１はノート型ＰＣ等（外部機器１００）と共に用いられる。ノート型ＰＣでの作業が終了した後は、当該マウスパッド本体６１を円柱状に丸めて、電源供給部６３のＵＳＢ接続端子６３ａをノート型ＰＣ等のＵＳＢポートに接続することで、ＬＥＤランプ部６２に電源を供給し、ＬＥＤランプ部６２を点灯させることができる。ＬＥＤランプ部６２はマウスパッド本体６１の裏面側に設けられているが、マウスパッド本体６１に形成された動物等の切り抜きからなる模様６４から投光され、周囲を照らすことができる。
【００５４】
当該第３の実施の形態では、マウスパッド本体６１は１枚の皮革により構成される。そのため、ＬＥＤランプ部６２や電源供給部６３の端子部分が外部に露出する場合がある。そのような場合には、例えば、絶縁用ポッティング剤を被覆電線６５とこれらの回路要素との接続部分に塗布又はコーティングすることで、ＬＥＤランプ部６２や電源供給部６３の端子部分を被覆することができ、絶縁性を確保すると共に、外観を良好にすることができる。
【００５５】
第３の実施の形態のＬＥＤランプ兼マウスパッド６０によれば、マウスパッド本体６１をマウスパッドとしての機能と共に、本革製のランプシェード本体としての機能も与えることができる。また、本実施の形態ではマウスパッド本体６１の両側方に切り込みを入れて、係止片６１ａ、６１ｂを設け、これらを係止させることで、マウスパッドからランプシェードに簡易に形態を変更することができる。
【００５６】
さらに、第３の実施の形態のＬＥＤランプ兼マウスパッド６０についても、ＬＥＤランプ回路を構成する各回路要素を本革製のマウスパッド本体６１に直接実装し、これらの回路要素を被覆電線６５で電気的に接続すると共に、これらを電気的に接続する経路をステッチ模様６５ａとすることで、本革製のマウスパッド本体６１の柔軟性を維持しつつ、ＬＥＤランプ部６２を構成するための筐体や、各回路要素を実装するための基板などの不要な部材を削減して軽量化が可能であり、本革の素材感を損なうことなく意匠性の高いものとすることができる。
【００５７】
以上説明した第１の実施の形態〜第３の実施の形態の各種電子機器付革製品（１０、５０、６０）はそれぞれ本発明に係る電子機器付製品の一態様であり、本発明に係る電子機器付製品は最初に述べたとおり、上記実施の形態に限定されるものではない。上記説明した各実施の形態において、マウスパッド本体１１、６１、キーホルダー本体５１は、それぞれ本革製ではなく合成皮革製であってもよいのは勿論である。また、本革、合成皮革等から構成される革製品だけではなく、各種繊維製品であってもよいのは勿論である。
【００５８】
例えば、ＧＰＳ付の財布やキーケース等、皮革製品や繊維製品に電子機器を設ける際に、不要な部材を削減して軽量化が可能であり、素材感を損なうことなく意匠性の高い電子機器付製品を提供することができる。
【００５９】
なお、第１の実施の形態及び第２の実施の形態では基材として第一皮革１１ａと第二皮革１１ｂとを用いたが、第３の実施の形態のように基材として１枚の皮革のみを用いてもよい。また、第３の実施の形態についても第１の実施の形態及び第２の実施の形態のように２枚の皮革を用いてもよい。基材を構成する皮革或いは繊維製品の枚数や形状等は特に限定されるものではなく、製品のデザインに応じて適宜選択可能である。２枚以上の皮革や布等を用いる場合には被覆電線によりそれらを縫合して製品形状にすることが好ましいが、その場合も必ずしも被覆電線により２枚以上の皮革や布等を縫合する必要はなく、単にステッチ模様のみを形成しつつ、各回路要素を電気的に接続してもよい。
【符号の説明】
【００６０】
１０  ：テンキー付マウスパッド（電子機器付製品／電子機器付革製品）
１１  ：マウスパッド本体（皮革製品本体／基材）
１１ａ：第一皮革
１１ｂ：第二皮革
１２  ：外部機器接続部（第一回路要素／接続部／電源供給部）
１３  ：外部機器接続本体部
１４  ：接続ケーブル部
１４ａ：ＵＳＢ接続端子
１４ｂ：接続ケーブル
１５  ：テンキー部（第二回路要素）
１５ａ：入力キー部分
１６  ：被覆電線
１６ａ：ステッチ模様
５０  ：ＬＥＤライト付キーホルダー（電子機器付製品／電子機器付革製品）
５１  ：キーホルダー本体（皮革製品本体／基材）
５１ａ：第一皮革
５１ｂ：第二皮革
５２  ：ＬＥＤライト部（第二回路要素）
５３  ：スイッチ部（第三回路要素）
５４  ：電源部（第一回路要素／電源供給部）
５５  ：連結部
５６  ：キーリング
５７  ：被覆電線
５７ａ：ステッチ模様
６０  ：ＬＥＤランプ兼マウスパッド（電子機器付製品／電子機器付革製品）
６１  ：マウスパッド本体（皮革製品本体／基材）
６２  ：ＬＥＤランプ部
６３  ：電源供給部（第一回路要素）
６３ａ：ＵＳＢ接続端子
６３ｂ：ケーブル
６４  ：模様
６５  ：被覆電線
６５ａ：ステッチ模様
１００：外部機器
２００：マウス
【図１】
2020071868.tif 000003
【図２】
2020071868.tif 000004
【図３】
2020071868.tif 000005
【図４】
2020071868.tif 000006
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
皮革製品本体からなる基材と、
前記基材に実装され、電子回路を構成する要素である第一回路要素及び第二回路要素と、
表面が絶縁性材料により被覆されており、且つ、伸縮性を有する被覆電線と、
を備え、
前記被覆電線によって前記基材を装飾するステッチ模様が形成されると共に、前記基材に分離配置された前記第一回路要素と前記第二回路要素とが電気的に接続されており、
前記基材には前記第一回路要素と前記第二回路要素とをつなぐ所定のラインに沿って複数の貫通孔が設けられ、前記基材の一面から他面に向けて前記被覆電線を一の貫通孔に挿通し、前記基材の他面から一面に向けて前記被覆電線を他の貫通孔に挿通することで前記ステッチ模様を形成しつつ、前記第一回路要素と前記第二回路要素とが電気的に接続された電子機器付製品。
【請求項２】
前記第一回路要素は、前記第二回路要素に電源を供給するための電源供給部としての機能を有し、前記第二回路要素は前記第一回路要素から電源の供給を受ける請求項１に記載の電子機器付製品。
【手続補正２】
【補正対象書類名】明細書
【補正対象項目名】０００８
【補正方法】変更
【補正の内容】
【０００８】
本発明の課題は、皮革製品に電子機器を設ける際に、不要な部材を削減して軽量化が可能であり、素材感を損なうことなく意匠性の高い電子機器付製品を提供することにある。
【手続補正３】
【補正対象書類名】明細書
【補正対象項目名】０００９
【補正方法】変更
【補正の内容】
【０００９】
上記課題を解決するため、本発明に係る電子機器付製品は、皮革製品本体からなる基材と、前記基材に実装され、電子回路を構成する要素である第一回路要素及び第二回路要素と、表面が絶縁性材料により被覆されており、且つ、伸縮性を有する被覆電線と、を備え、前記被覆電線によって前記基材を装飾するステッチ模様が形成されると共に、前記基材に分離配置された前記第一回路要素と前記第二回路要素とが電気的に接続されており、前記基材には前記第一回路要素と前記第二回路要素とをつなぐ所定のラインに沿って複数の貫通孔が設けられ、前記基材の一面から他面に向けて前記被覆電線を一の貫通孔に挿通し、前記基材の他面から一面に向けて前記被覆電線を他の貫通孔に挿通することで前記ステッチ模様を形成しつつ、前記第一回路要素と前記第二回路要素とが電気的に接続されたことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明によれば、電子回路の構成要素である第一回路要素及び第二回路要素を皮革製品に設ける際に、従来用いられていた基板に実装するのではなく、皮革製品本体を基材として用いる。これと同時に、皮革製品本体を第一回路要素及び第二回路要素を収容するための筐体として用いることもできる。さらに、表面が絶縁性材料により被覆された被覆電線によって当該皮革製品を装飾するステッチ模様が形成される。従って、被覆電線を縫合部材及び装飾部材として用いつつ、第一回路要素と前記第二回路要素とを電気的に接続して、動作回路を実現することができる。
【手続補正７】
【補正対象書類名】明細書
【補正対象項目名】００１５
【補正方法】変更
【補正の内容】
【００１５】
これらのことから、皮革製品に電子機器を設ける際に、不要な部材を削減して軽量化が可能であり、素材感を損なうことなく意匠性の高い電子機器付製品を提供することができる。